【手続補正書】
【提出日】平成28年5月13日(2016.5.13)
【手続補正１】
【補正対象書類名】特許請求の範囲
【補正対象項目名】全文
【補正方法】変更
【補正の内容】
【特許請求の範囲】
【請求項１】
所定の連続性を持つ複数のファイルからなるグループに含まれる１つのファイルを選択する選択手段と、
前記選択手段によって選択されたファイルの時系列データのうち、指定された位置よりも時系列的に前の部分を削除する第１の指示を検出する第１の指示検出手段と、
前記第１の指示検出手段により第１の指示が検出されると、前記グループに含まれるファイルのうち、前記選択されたファイルより前のファイルを削除する処理を行う処理手段と、を有することを特徴とする編集装置。
【請求項２】
所定の連続性を持つ複数のファイルからなるグループに含まれる１つのファイルを選択する選択手段と、
前記選択手段によって選択されたファイルの時系列データのうち、指定された位置よりも時系列的に後の部分を削除する第２の指示を検出する第２の指示検出手段と、
前記第２の指示検出手段により第２の指示が検出されると、前記グループに含まれるファイルのうち、前記選択されたファイルより後のファイルを削除する処理を行う処理手段と、を有することを特徴とする編集装置。
【請求項３】
前記選択手段によって選択されたファイルの時系列データのうち、指定された位置よりも時系列的に後の部分を削除する第２の指示を検出する第２の指示検出手段を更に有し、
前記処理手段は、前記第２の指示検出手段により第２の指示が検出されると、前記グループに含まれるファイルのうち、前記選択されたファイルより後のファイルを削除することを特徴とする請求項１に記載の編集装置。
【請求項４】
前記処理手段は、前記選択手段により選択されたファイルと、前記選択されたファイルより前または後のファイルとの間の連結関係を書き換えることを特徴とする請求項１ないし３のいずれか１項に記載の編集装置。
【請求項５】
前記処理手段は、ユーザの指示に応じて、前記選択手段により選択されたファイルと、前記選択されたファイルより前または後のファイルとの間の連結関係を書き換える処理、または、前記選択されたファイルの時系列データのうち、指定された位置よりも時系列的に前または後の部分を削除する処理、のいずれかを実行することを特徴とする請求項１ないし３のいずれか１項に記載の編集装置。
【請求項６】
前記選択手段により選択されたファイルの属性情報をファイルシステムまたは外部の管理ファイルから取得する取得手段を更に有し、
前記処理手段は、前記取得手段により取得した属性情報に基づいて、前記選択手段により選択されたファイルと、前記選択されたファイルより前または後のファイルとの間の連結関係を書き換える処理、または、前記選択されたファイルより前または後のファイルを削除する処理、のいずれかを実行することを特徴とする請求項１ないし３のいずれか１項に記載の編集装置。
【請求項７】
前記選択手段により選択されたファイルより前または後のファイルを削除する前に削除対象のファイルを再生する再生手段を更に有することを特徴とする請求項１ないし６のいずれか１項に記載の編集装置。
【請求項８】
ユーザによる前記第１の指示を受け付ける受付手段を更に有することを特徴とする請求項１または３に記載の編集装置。
【請求項９】
前記受付手段は、前記選択手段により選択されたファイルのタイムラインに対する位置の指定を行うことにより前記第１の指示により削除する部分の起点の指定を受け付けることを特徴とする請求項８に記載の編集装置。
【請求項１０】
前記選択手段により選択されたファイルをユーザに識別可能に表示する表示手段を更に有することを特徴とする請求項１ないし９のいずれか１項に記載の編集装置。
【請求項１１】
前記第１の指示が検出された場合、前記処理手段は、当該第１の指示の際に選択されたファイルより前に記録されたファイルであっても、当該第１の指示の際に選択されたファイルと同じグループに含まれないファイルの削除処理を実行しないことを特徴とする請求項１または３に記載の編集装置。
【請求項１２】
前記処理手段は、各ファイルに付加されている前後のファイルの識別情報により同じグループであるか否かを判定することを特徴とする請求項１１に記載の編集装置。
【請求項１３】
前記グループは、１回の記録で分割して記録されたファイル群であることを特徴とする請求項１１または１２に記載の編集装置。
【請求項１４】
選択手段が、所定の連続性を持つ複数のファイルからなるグループに含まれる１つのファイルを選択する選択ステップと、
検出手段が、前記選択ステップによって選択されたファイルの時系列データのうち、指定された位置よりも時系列的に前の部分を削除する第１の指示を検出する第１の指示検出ステップと、
前記第１の指示検出ステップにより第１の指示が検出されると、処理手段が、前記グループに含まれるファイルのうち、前記選択されたファイルより前のファイルを削除する処理を行う処理ステップと、を有することを特徴とする編集装置の制御方法。
【請求項１５】
選択手段が、所定の連続性を持つ複数のファイルからなるグループに含まれる１つのファイルを選択する選択ステップと、
検出手段が、前記選択ステップによって選択されたファイルの時系列データのうち、指定された位置よりも時系列的に後の部分を削除する第２の指示を検出する第２の指示検出ステップと、
前記第２の指示検出ステップにより第２の指示が検出されると、処理手段が、前記グループに含まれるファイルのうち、前記選択されたファイルより後のファイルを削除する処理ステップと、を有することを特徴とする編集装置の制御方法。
【請求項１６】
コンピュータを、請求項１ないし１３のいずれか１項に記載された編集装置の各手段として機能させるためのプログラム。
【請求項１７】
コンピュータを、請求項１ないし１３のいずれか１項に記載された編集装置の各手段として機能させるためのプログラムを格納した記憶媒体。
【手続補正２】
【補正対象書類名】明細書
【補正対象項目名】０００７
【補正方法】変更
【補正の内容】
【０００７】
上記課題を解決し、目的を達成するために、本発明の編集装置は、所定の連続性を持つ複数のファイルからなるグループに含まれる１つのファイルを選択する選択手段と、前記選択手段によって選択されたファイルの時系列データのうち、指定された位置よりも時系列的に前の部分を削除する第１の指示を検出する第１の指示検出手段と、前記第１の指示検出手段により第１の指示が検出されると、前記グループに含まれるファイルのうち、前記選択されたファイルより前のファイルを削除する処理を行う処理手段と、を有する。
【手続補正３】
【補正対象書類名】明細書
【補正対象項目名】００６２
【補正方法】変更
【補正の内容】
【００６２】
図１０（ａ）は、再生開始時で編集前のシーンのファイルと、ＵＩＤ、ＮＩＤ、ＰＩＤの各値を示している。前述した記録処理によりＵＩＤ／ＮＩＤ／ＰＩＤで連結された“ＭＶＩ＿０００１．ＭＰ４”から“ＭＶＩ＿０００５．ＭＰ４”までの動画ファイル５つと、独立した記録が行われた動画ファイルであるＶＭＩ＿０００６．ＭＰ４からなる。
【手続補正４】
【補正対象書類名】明細書
【補正対象項目名】００６７
【補正方法】変更
【補正の内容】
【００６７】
ファイル“ＭＶＩ＿０００５．ＭＰ４”は、“１１１５”のＵＩＤを持つ。また、次のファイルが存在しないため“００００”のＮＩＤを持つ。さらに、前のファイルとして前述した“ＭＶＩ＿０００４．ＭＰ４”が存在するため“１１１４”のＰＩＤを持つ。
【手続補正５】
【補正対象書類名】明細書
【補正対象項目名】０１０８
【補正方法】変更
【補正の内容】
【０１０８】
次に、Ｓ６１５では、制御部１０２は、後の連結ファイル（“ＭＶＩ＿０００４．ＭＰ４”および“ＭＶＩ＿０００５．ＭＰ４”）とのＮＩＤおよびＰＩＤの連結属性の削除処理を実行する。
【手続補正６】
【補正対象書類名】図面
【補正対象項目名】図９
【補正方法】変更
【補正の内容】
【図９】
2014230003.tif 000001